(57)【要約】【課題】ジョブの途中で一部のページの出力設定を変更して出力することを可能にする。【解決手段】ジョブ情報に基づいて画像形成を行う画像形成部と、操作入力を可能にする操作部と、前記画像形成部および前記操作部を制御するとともに、ジョブを管理し、該ジョブの出力設定が可能な制御部とを備え、該制御部は、出力中のジョブに対し、ジョブ途中で、前記操作部によって一部のページを指定し前記出力設定を変更することを可能にすることで、出力中に設定ミスに気付いた場合に少ない操作ステップで設定変更を行うことができ、また、設定変更ページのみをやり直し、設定変更のないページは続けてプリントすることでダウンタイムを軽減し、やり直し部分に関してもジョブ再投入の手間を省くことができる。【選択図】図１１
2011140204.tif 000002
【特許請求の範囲】
【請求項１】
ジョブ情報に基づいて画像形成を行う画像形成部と、操作入力を可能にする操作部と、前記画像形成部および前記操作部を制御するとともに、ジョブを管理し、該ジョブの出力設定が可能な制御部とを備え、
該制御部は、出力中のジョブに対し、ジョブ途中で、前記操作部によって一部のページを指定し前記出力設定を変更することを可能にすることを特徴とする画像形成装置。
【請求項２】
前記制御部は、前記出力設定の変更以降は、変更された該当ページを変更後の前記出力設定によって出力することを特徴とする請求項１記載の画像形成装置。
【請求項３】
前記制御部は、前記出力設定の変更以降は、変更された該当ページの出力をスキップしつつ設定部数に従ってジョブの残りの部数を出力し、その後、変更された該当ページを設定部数分まとめて出力することを特徴とする請求項１または２に記載の画像形成装置。
【請求項４】
前記制御部は、前記出力設定の変更以降は、出力設定が変更された該当ページに差し替えて出力し、前記出力設定の変更までに出力していた該当ページに関しては、前記ジョブの設定部数を出力した後、出力設定が変更された該当ページを、出力設定が変更されるまでに出力済みの分まとめて出力することを特徴とする請求項１または２に記載の画像形成装置。
【請求項５】
前記制御部は、前記出力設定の変更以降は、前記出力設定が変更された該当ページを、出力済みの設定部数分とは別のトレイに出力することを特徴とする請求項３または４に記載の画像形成装置。
【請求項６】
前記制御部は、前記出力設定の変更以降は、前記出力設定が変更されたページを、出力設定が変更されたページ以外のページとは別のトレイに出力することを特徴とする請求項１〜４のいずれか１項に記載の画像形成装置。
【請求項７】
前記制御部は、前記出力設定の変更以降は、前記ジョブの残りを前記出力設定の変更までに出力済みの部数分とは別のトレイに出力することを特徴とする請求項１〜６のいずれか１項に記載の画像形成装置。
【請求項８】
前記制御部は、前記出力設定の変更の際は、前記ジョブの出力を一時中断して出力設定変更の操作入力を可能にすることを特徴とする請求項１〜７のいずれか１項に記載の画像形成装置。
【請求項９】
前記制御部は、前記出力設定の変更の操作入力が完了すると、一時中断していた前記ジョブの出力を再開することを特徴とする請求項８記載の画像形成装置。
【請求項１０】
前記制御部は、前記出力設定の変更の際に、前記ジョブの出力は停止せず、出力と並行して出力設定の変更に関する操作入力を可能にすることを特徴とする請求項１〜７のいずれか１項に記載の画像形成装置。
【請求項１１】
前記制御部は、前記操作部を介して前記出力設定の変更が選択された際に、予め設定された動作条件に基づいて前記ジョブの出力を一時中断するか否かを決定することを特徴とする請求項１〜１０のいずれか１項に記載の画像形成装置。
【請求項１２】
前記制御部は、前記操作部を介して前記出力設定の変更が選択された際に、該出力設定の変更中に前記ジョブの出力を一時中断するか、前記ジョブの出力を並行して行うかを選択可能にすることを特徴とする請求項１〜１１のいずれか１項に記載の画像形成装置。
【請求項１３】
前記操作部が、画像形成装置本体外の外部機器に備えられているものであることを特徴とする請求項１〜１２のいずれか１項に記載の画像形成装置。
【請求項１４】
前記外部機器に前記操作部を制御する外部機器制御部を備えており、画像形成装置本体に備えられて前記画像形成部を制御する画像形成装置制御部と前記外部機器制御部とが協働して前記制御部を構成することを特徴とする請求項１３記載の画像形成装置。
【請求項１５】
請求項１〜１４のいずれか１項に記載の画像形成装置と、前記制御部によって制御されて前記画像形成装置から排紙された用紙に後処理を行う後処理装置とを備え、前記出力設定は、該後処理装置における後処理条件を含むものであることを特徴とする画像形成システム。
【発明の詳細な説明】
【技術分野】
【０００１】
この発明は、画像情報および出力条件情報を含むジョブ情報に基づいて画像形成や後処理が行われる画像形成装置および画像形成システムに関するものである。
【背景技術】
【０００２】
複写機、プリンタ、ファクシミリ、複合機などの画像形成装置では、画像情報と出力条件情報とに基づいて画像形成が行われ、さらに所望によりステープル、パンチなどの後処理が行われる。画像情報は、スキャナーによって原稿を読み込んだり、他の装置から送信されたりすることで取得される。出力に際しては、予め設定されている標準的な出力条件や出力前に操作者が操作部を介して入力した出力条件等によって前記画像情報に基づく出力がなされる。一つのジョブでは、予め設定されたこの出力条件に従って出力が行われる。なお、出力条件自体は、ジョブ全体で同一であってもよく、また、ページによって出力条件が異なるものであってもよい。
【０００３】
ところで、設定された出力条件によって出力された出力物が所望通りであるか否かをユーザが目視で確認したい場合がある。このためジョブを１部数で出力して確認をする確認コピー（試しプリントなどと称する場合もある）をできるようにした画像形成装置が提案されている。この出力物をユーザが確認した結果、出力条件を設定変更したい場合には、操作部を介して出力条件を変更することができ、さらにこの変更をページ単位、グループ単位、ジョブ単位で行うことができるようにしたものも提案されている（特許文献１参照）。出力条件を変更した後は、変更した出力条件で再度出力を行うことができる。
【先行技術文献】
【特許文献】
【０００４】
【特許文献１】特開２００６−４２３０３号公報
【発明の概要】
【発明が解決しようとする課題】
【０００５】
上記した確認コピーでは、確認コピーが終了した後、設定変更を行うことができ、この設定変更の後に出力がなされる。
しかし、通常の出力中にミスプリントなどに気付き、設定をやり直したい場合がある。このような場合、従来は以下のような方法によって設定変更を行う。
１）ジョブを中止し、設定変更した後、再出力をする。
２）ＨＤＤ保存ジョブなら差し替えたいページを指定して読み出し、設定変更し、該当ページを出力する。
しかし、上記の方法では、設定のやり直しを行う場合はいずれも再度ジョブを設定してプリント指示をする必要があるので手間がかかる。また、１）の方法では、設定変更前のページが全部出力されるので無駄が多く発生する。
【０００６】
本発明は、上記事情を背景としてなされたものであり、出力中に出力条件の設定を変更したい場合、手間を要することなく、しかも、できるだけ無駄を少なくして設定変更後の内容で出力を行うことができる画像形成装置および画像形成システムを提供することを目的とする。
【課題を解決するための手段】
【０００７】
すなわち、本発明の画像形成装置は、ジョブ情報に基づいて画像形成を行う画像形成部と、操作入力を可能にする操作部と、前記画像形成部および前記操作部を制御するとともに、前記ジョブを管理し、該ジョブの出力設定が可能な制御部とを備え、該制御部は、出力中のジョブに対してジョブ途中で、前記操作部によって一部のページを指定し前記出力設定を変更することを可能にすることを特徴とする。
また、本発明の画像形成システムは、本発明の画像形成装置と、前記制御部によって制御されて前記画像形成装置から排紙された用紙に後処理を行う後処理装置とを備え、前記出力設定は、該後処理装置における後処理条件を含むものであることを特徴とする。
【０００８】
上記ジョブ情報は、画像情報と出力条件情報を有している。出力条件としては、出力画像の画素数、カラー・モノクロの別、色調調整、用紙サイズ、用紙の向き、用紙の種類（紙種、斤量、用紙の色など）、給紙トレイの選択、とじ位置、とじしろ、後処理の有無、後処理条件などが挙げられる。
制御部は、ＣＰＵとこれを動作させるプログラム、プログラムなどを格納するＲＯＭ、データを一時記憶するＲＡＭ、設定データなどを格納する読み書き可能な不揮発メモリ（フラッシュメモリなど）などにより構成される。該制御部は、ジョブに対し、上記出力条件情報に基づいて出力設定が可能である。
操作部は、ＬＣＤなどを用いたタッチパネルなどにより構成されるものであり、表示部を兼ねたものであってもよく、また、操作部と表示部とが個別に用意されるものでもよい。
上記制御部と操作部とは、画像形成装置本体に備えるものの他、画像形成装置本体にＬＡＮなどによって接続された外部機器の操作部と、外部機器に備える外部機器制御部とによって上記操作を可能にするものであってもよい。この場合、画像形成装置本体に備えられて画像形成部を制御する画像形成装置制御部と、前記外部機器制御部とが協働して本発明の制御部として機能する。
【０００９】
出力設定の変更は、操作部を介して操作者により行うことができる。制御部では、ジョブ中に操作部によって該出力設定変更を可能にする。このため、操作部がタッチパネルで構成されるような場合には、出力設定変更を選択可能にする釦などを表示して操作入力を可能にする。制御部では、操作部を介して出力設定変更が選択されると、出力設定変更のための制御手順を実行する。
制御部では、出力設定変更の際に出力中のジョブを一時中断して、さらに出力設定変更に関する操作入力を可能にしてもよく、また、出力を継続したままさらに出力設定変更に関する操作入力を可能にしてもよい。出力設定変更の際に、ジョブを一時中断するか継続するかは、予め設定されている動作条件に基づいて決定することができる。この動作条件は、操作者によって変更を可能にし、その後の動作において選択後の動作条件で上記決定がなされるようにしてもよい。
また、上記出力設定変更の際に、ジョブを一時中断するか継続するかは、出力設定変更の際に、操作者が選択できるようにしてもよい。この場合、制御部では、操作部を介していずれかを選択できるように操作部を制御する。タッチパネルでは、選択を行う釦などを操作入力可能に表示する。
【００１０】
出力設定変更がなされると、それ以降は制御部によって、変更された該当ページが変更後の出力条件で出力される。
なお、出力設定変更後の出力方法は、予め設定された条件に基づくものであってもよく、また、上記出力設定変更の際に、操作者が設定した条件に基づくものであってもよい。該出力方法に従って制御部によって出力が実行される。出力方法として、以下の方法が挙げられる。
【００１１】
その一つとして、出力設定の変更以降は、変更された該当ページの出力をスキップして設定部数に従ってジョブの残りの部数を出力し、その後、変更された該当ページを設定部数分まとめて出力するようにしてもよい。
上記出力方法によれば、出力設定変更後に無駄な出力がなされるのを回避でき、また、変更されたページがまとめて出力されるので、各部の出力物に変更ページに加えるように容易に整理することができる。
【００１２】
他の出力方法としては、前記出力設定の変更以降は、ジョブの残りの部数を変更された該当ページに差し替えて出力し、前記設定変更までに出力していた該当ページに関しては、前記ジョブの設定部数を出力した後、まとめて出力するようにしてもよい。
上記出力方法によっても、出力設定変更後に無駄な出力がなされるのを回避でき、また、出力設定変更されたページがまとめて出力されるので、各部の出力物に変更ページに加えるように容易に整理することができる。また、出力設定の変更以降は、出力設定変更された該当ページに差し替えて残りの部数が出力されるので、それ以前の出力物についてのみ必要に応じて変更された該当ページに差し替えればよく、整理がより容易になる。
【００１３】
また、出力設定の変更以降の出力方法として、制御部によって排紙先を制御するようにしてもよい。
排紙先の制御方法の一つとして、前記出力設定の変更以降は、前記出力設定変更がされたページを、出力済みの本文とは別のトレイに出力する。この方法によれば、最後に、出力設定変更がされたページをまとめて出力する際に、他の出力物と区別されて取り扱いが容易になる。まとめて出力されるページとしては、前記したように出力設定変更がされたページ全ての場合や、出力設定の変更以降の該当するページの場合などがある。
【００１４】
さらに排紙先の他の制御方法として、前記出力設定の変更以降は、ジョブの残りを前記設定変更までに出力済みの本文とは別のトレイに出力する方法が挙げられる。
これにより設定変更前のページが含まれる出力物と、これを含まない出力物とを区別することができる。この場合、トレイを３以上備えていれば、出力設定変更がされたページをさらに別のトレイに排紙するようにしてもよい。
【発明の効果】
【００１５】
以上説明したように、本発明によれば、ジョブ情報に基づいて画像形成を行う画像形成部と、操作入力を可能にする操作部と、前記画像形成部および前記操作部を制御するとともに、前記ジョブを管理し、該ジョブの出力設定が可能な制御部とを備え、該制御部は、出力中のジョブに対してジョブ途中で、前記操作部によって一部のページを指定し前記出力設定を変更することを可能にするので、多くの手間を掛けることなく、また無駄な出力をできるだけ少なくして出力条件の設定変更を行うことができる。
例えば、出力中に設定ミスに気付いた場合に少ない操作ステップで設定変更を行うことができ、また、設定変更ページのみをやり直し、設定変更のないページは続けてプリントすることでダウンタイムを軽減する。やり直し部分に関してもジョブ再投入の手間を省くことができる。
【図面の簡単な説明】
【００１６】
【図１】本発明の一実施形態の画像形成装置全体の機械的構成を示す図である。
【図２】同じく、電気ブロック構成を示す図である。
【図３】同じく、ＲＡＭ上のジョブリストを示すイメージ図である。
【図４】同じく、圧縮メモリ上のジョブ情報を示すイメージ図である。
【図５】同じく、操作部における出力設定変更を選択可能とした表示画面である。
【図６】同じく、操作部における出力設定変更におけるページ入力画面を示す図である。
【図７】同じく、操作部における出力設定変更の画面を示す図である。
【図８】同じく、操作部における詳細出力設定変更画面としてのとじしろ設定画面を示す図である。
【図９】同じく、操作部における出力設定変更の反映を確認する設定変更確認画面を示す図である。
【図１０】同じく、出力設定変更後の出力方法の例を示す概略図である。
【図１１】同じく、出力設定変更時の出力継続または出力中断を含む手順を示すフローチャートである。
【図１２】同じく、出力設定変更以降、該当ページをスキップして、最後にまとめて出力する主となる手順を示すフローチャートである。
【図１３】同じく、出力設定変更したページをチェックする手順を示すフローチャートである。
【図１４】同じく、最後にまとめて出力する手順を示すフローチャートである。
【図１５】同じく、出力設定変更以降、該当ページを差し替えて出力し、最後に、出力設定変更前の該当ページをまとめて出力する主となる手順を示すフローチャートである。
【図１６】同じく、最後にまとめて出力する手順を示すフローチャートである。
【発明を実施するための形態】
【００１７】
以下に、本発明の一実施形態を添付図面に基づいて説明する。
図１は、一実施形態である画像形成装置１および該画像形成装置１を含む画像形成システムの機械的構成を示す図であり、以下に、その説明を行う。
画像形成装置１は、プリンタ、スキャナー、コピア機能を有するデジタル複合機であり、該複合機の各機構を筺体に収納および付設した画像形成装置本体１ａの上部側に、スキャナー部１３０、原稿を載置するプラテンガラス１３３、流し込みｔｙｐｅ自動原稿給送装置（ＡＤＦ）１３５、該流し込みｔｙｐｅ自動原稿給送装置（ＡＤＦ）１３５から送られる原稿の読み取りを行うＡＤＦ原稿読み取りスリットガラス１３６が設けられている。その近傍には、情報の表示が可能となり、さらに各種操作入力が可能になった操作部１４０が設けられている。この実施形態では、画像形成装置本体１ａが画像形成装置１に相当する。ただし、本発明としては、画像形成装置本体１ａと画像形成装置本体１ａ外の外部機器などによって画像形成装置が構成されるものであってもよい。
【００１８】
また、画像形成装置本体１ａの下部側には、用紙を収納して給紙する複数段の給紙トレイ（１−３）１６０を備えており、さらに画像形成装置本体１ａの外部側に大容量給紙トレイ１６１が備えられている。これら給紙トレイ１６０、大容量給紙トレイ１６１には、給紙ローラー、搬送ローラー、第二給紙ローラー１６２、搬送経路を含む搬送部１６３が接続されており、第二給紙ローラー１６２により所定のタイミングで画像形成（転写）位置に送り出される。
【００１９】
また、画像形成装置本体１ａ内に備えるプリンタ部１５０は、上記搬送部および画像形成部を主構成としている。画像形成部は、帯電部１５１、ＬＤ（レーザダイオード）１５２、感光体１５３、現像部１５４、転写部１５５、定着器１５６、クリーニング部１５７などを備えている。また、プリンタ部１５０の下流側に画像形成を行った用紙を搬送する前記搬送部１６３が伸長している。搬送部１６３の下流側では、後処理装置（ＦＮＳ）１８０が接続されている。
上記画像形成装置１と後処理装置（ＦＮＳ）１８０とによって本発明の画像形成システムが構成されている。
【００２０】
プリンタ部１５０は、帯電部１５１によって感光体１５３の表面に一様に帯電を行った後に、ＬＤ１５２のレーザビームによって、画像情報に基づく露光走査を行って潜像を形成し、該潜像を現像部１５４により反転現像して感光体１５３の表面にトナー像を形成する。
給紙トレイ１６０または大容量給紙トレイ１６１から給紙された用紙は、搬送部１６３によって転写位置へと送られる。この際に、第二給紙ローラー１６２により所定のタイミングで画像形成（転写）位置に送り出される。該転写位置において転写部１５５によりトナー像が転写される。その後、画像形成がされた用紙は、搬送部１６３により搬送され、定着器１５６により加熱定着され、後処理装置１８０へと搬送される。
感光体１５３は、転写後、クリーニング部１５７により表面に残留している現像剤が除去され、次の画像形成に備える。
【００２１】
画像形成がなされた用紙が搬送される後処理装置（ＦＮＳ）１８０は、用紙にパンチを施すパンチユニット１８２、用紙にステイプルを行うステイプラ１８３を備えており、さらに、後処理済みまたは後処理を行わなかった用紙を排紙する複数の排紙トレイ１８４を有している。
【００２２】
次に、図２は、本実施形態における画像形成装置の電気的な構成を示すブロック図であり、以下に説明する。
画像形成装置本体１ａは、主要な構成として、画像制御部１１０とスキャナー部１３０と操作部１４０とプリンタ部１５０とを有するデジタルコピア本体と、ＬＡＮ５０を通して外部機器２（例えばＰＣ）との間で入出力される画像情報を処理する画像処理手段（プリント＆スキャナーコントローラ）１７０とを備えている。また、画像形成装置本体１ａは、ＬＡＮインターフェース１７５を介してＬＡＮ５０に前記画像制御部１１０が接続されており、外部機器２からのアクセスが可能になっている。
【００２３】
画像制御部１１０はＰＣＩバス１１２を有しており、ＰＣＩバス１１２は画像制御部１１０内でＤＲＡＭ制御ＩＣ１１１に接続されている。また、画像制御部１１０には、画像制御ＣＰＵ１１３を備えており、該画像制御ＣＰＵ１１３に前記ＤＲＡＭ制御ＩＣ１１１が接続されている。画像制御ＣＰＵ１１３には、不揮発メモリ１１４が接続されており、さらに画像制御ＣＰＵ１１３には、図示しないＲＡＭやＲＯＭを備えている。前記不揮発メモリ１１４には、上記画像制御ＣＰＵ１１３を動作させるためのプログラムや画像形成装置１の設定データ、プロセス制御パラメータ、ジョブ出力中に出力条件の設定変更を行う際のジョブ中止／ジョブ継続の設定データ等が格納されている。
画像制御ＣＰＵ１１３は、画像形成装置１の全体を制御し、また画像形成装置１全体の状態把握を行うものであり、さらにジョブの開始／停止／動作管理などを行う。すなわち、画像制御ＣＰＵ１１３は、不揮発メモリ１１４とともに、本発明の制御部として機能する。
【００２４】
前記スキャナー部１３０は、光学読み取りを行うＣＣＤ１３１と、スキャナー部１３０全体の制御を行うスキャナー制御部１３２とを備えている。スキャナー制御部１３２は、前記画像制御ＣＰＵ１１３とシリアル通信可能に接続されており、画像制御ＣＰＵ１１３による制御を受ける。なお、スキャナー制御部１３２は、ＣＰＵやこれを動作させるプログラムなどによって構成することができる。前記ＣＣＤ１３１で読み取った画像情報は、読取り処理部１１５でデータ処理がなされる。読取り処理部１１５には、画像情報を圧縮する圧縮ＩＣ１１６が接続されており、該圧縮ＩＣ１１６は、前記したＤＲＡＭ制御ＩＣ１１１に接続されている。
【００２５】
前記操作部１４０は、タッチパネル式のＬＣＤ１４１と、操作部制御部１４２とを備えており、上記ＬＣＤ１４１と操作部制御部１４２とが接続され、該操作部制御部１４２と前記画像制御ＣＰＵ１１３とがシリアル通信可能に接続されている。該構成によって操作部１４０の制御が画像制御ＣＰＵ１１３によって行われ、操作部１４０の入力情報が画像制御ＣＰＵ１１３に送られる。なお、操作部制御部１４２は、ＣＰＵやこれを動作させるプログラムなどによって構成することができる。操作部１４０では、画像形成装置における設定や動作指令などの動作制御条件の入力が可能となっており、さらに設定内容、機械状態、情報の表示等が可能になっており、上記画像制御ＣＰＵ１１３により制御される。
【００２６】
また、ＤＲＡＭ制御ＩＣ１１１は、圧縮メモリ１２１とページメモリ１２２とからなる画像メモリ１２０に接続されている。該画像メモリ１２０には、前記スキャナー部１３０で取得した画像情報やＬＡＮ５０を通して取得した画像情報が格納される。上記のように画像メモリ１２０は、画像情報の記憶領域であり、印刷するジョブの画像情報を格納する。また、ＰＣＩバスにはＨＤＤ１１９が接続されており、該ＨＤＤ１１９には、スキャナー部１３０で取得した画像情報や画像処理手段（プリント＆スキャナーコントローラ）１７０に接続された外部機器２などにより生成された画像情報等を保存する。
【００２７】
さらにＤＲＡＭ制御ＩＣ１１１には、圧縮された画像情報を伸長する伸長ＩＣ１１７が接続されており、該伸長ＩＣ１１７には書込み処理部１１８が接続されている。該書込み処理部１１８は、プリンタ部１５０のＬＤ１５２に接続され、該ＬＤ１５２の動作に用いられるデータの処理を行う。また、プリンタ部１５０は、プリンタ部１５０の全体を制御するプリンタ制御部１５８を備えており、該プリンタ制御部１５８は、前記した画像制御ＣＰＵ１１３に接続されて制御を受ける。すなわち、画像制御ＩＣ１１３から与えられるパラメータに従い、プリント動作の開始／停止を行う。さらにプリンタ部１５０の装置状態の通知を画像制御ＣＰＵ１１３に対し行う。また、プリンタ制御部１５８には、後処理装置１８０に備える後処理制御部（ＦＮＳ制御部）１８１が接続されている。これにより、後処理装置１８０の制御を、プリンタ制御部１５８、後処理制御部１８１を通して画像制御ＣＰＵ１１３により制御することができる。また、後処理装置１８０の装置状態は、後処理制御部１８１、プリンタ制御部１５８を通して画像制御ＣＰＵ１１３に出力されている。
なお、プリンタ制御部１５８、後処理制御部１８１は、ＣＰＵやこれを動作させるプログラムなどによって構成することができる。
【００２８】
また、前記ＤＲＡＭ制御ＩＣ１１１に接続された前記ＰＣＩバス１１２には、前記した画像処理手段（プリント＆スキャナーコントローラ）１７０のＤＲＡＭ制御ＩＣ１７１が接続されている。画像処理手段（プリント＆スキャナーコントローラ）１７０では、ＤＲＡＭ制御ＩＣ１７１に画像メモリ１７２が接続されている。また、画像処理手段（プリント＆スキャナーコントローラ）１７０では、前記ＤＲＡＭ制御ＩＣ１７１にコントローラ制御ＣＰＵ１７３が接続されており、ＤＲＡＭ制御ＩＣ１７１にＬＡＮインターフェース１７５が接続されている。ＬＡＮインターフェース１７５は、前記ＬＡＮ５０に接続されている。
【００２９】
次に、上記画像形成装置１の基本的動作について説明する。
先ず、画像形成装置１において画像情報を蓄積する手順について説明する。
第１に画像形成装置１において、スキャナー部１３０で原稿の画像を読み取り画像情報を生成する場合、スキャナー部１３０において原稿からＣＣＤ１３１により原稿の画像を光学的に読み取る。この際には、画像制御ＣＰＵ１１３から指令を受けるスキャナー制御部１３２によってＣＣＤ１３１の動作制御を行う。
ＣＣＤ１３１で読み取られた画像は、読取り処理部１１５でデータ処理がなされ、データ処理された画像情報は、圧縮ＩＣ１１６において所定の方法によって圧縮され、ＤＲＡＭ制御ＩＣ１１１を介して圧縮メモリ１２１に格納される。圧縮メモリ１２１に格納された画像情報は、画像制御ＣＰＵ１１３によってジョブとして管理することができる。ＨＤＤ１１９に格納する場合は、圧縮メモリ１２１に一旦格納したデータをＤＲＡＭ制御ＩＣ１１１を介してＨＤＤ１１９に送る。
【００３０】
画像情報を外部から取得する場合、例えば、外部機器２からＬＡＮ５０を通して送信されるジョブ情報は、ＬＡＮインターフェース１７５を介してＤＲＡＭ制御ＩＣ１７１により画像メモリ１７２に格納される。画像メモリ１７２のデータは、ＤＲＡＭ制御ＩＣ１７１、ＰＣＩバス１１２、ＤＲＡＭ制御ＩＣ１１１を介してページメモリ１２２に一旦格納される。ページメモリ１２２に格納されたデータは、ＤＲＡＭ制御ＩＣ１１１を介して圧縮ＩＣ１１６に順次送られて圧縮処理され、ＤＲＡＭ制御ＩＣ１１１を介して圧縮メモリ１２１に格納され、上記と同様に画像制御ＣＰＵ１１３による管理がなされる。また、ＨＤＤ１１９に格納する場合は、圧縮メモリ１２１に一旦格納したデータをＤＲＡＭ制御ＩＣ１１１を介してＨＤＤ１１９に送る。
【００３１】
画像形成装置１で画像出力を行う場合、すなわち複写機やプリンタとして使用する場合、ＨＤＤ１１９に格納されたデータを使用するときは、ＤＲＡＭ制御ＩＣ１１１を介して圧縮メモリ１２１に一旦格納する。圧縮メモリ１２１に格納された画像情報を含むジョブ情報をＤＲＡＭ制御ＩＣ１１１を介して伸長ＩＣ１１７に送出してデータを伸長し、伸長したデータを書込み処理部１１８に送出し、ＬＤ１５２において感光体１５３への書き込みを行う。また、プリンタ部１５０では、画像制御ＩＣ１１３の指令を受けてプリンタ制御部１５８によって各部の制御が行われ所定の用紙（図示しない）への転写が転写部１５５によって行われ、定着器１５６で定着がなされる。画像形成がなされた用紙は搬送部１６３を経て後処理装置１８０へと搬送され、後処理の指定がある場合には、前述したように後処理がなされ、後処理が不要の場合、そのまま排紙トレイ１８４に排紙される。
【００３２】
なお、画像出力に際しては、画像制御ＣＰＵ１１３ではジョブ情報に基づいて出力を行う。ジョブ情報は、前記画像情報の他に、出力条件情報を含んでいる。出力条件は、プリントモード、トレイ、排紙先、後処理条件などの情報からなり、具体的には、出力画像の画素数、カラー・モノクロの別、色調調整、用紙サイズ、用紙の向き、用紙の種類（紙種、斤量、用紙の色など）、給紙トレイの選択、とじ位置、とじしろ、後処理の有無、後処理条件などが挙げられる。
【００３３】
出力条件は、予め初期設定として標準的な設定が定められており、該初期設定は不揮発メモリ１１４に格納されている。該初期設定は、画像制御ＣＰＵ１１３によって必要に応じて読み出され、画像情報とともに画像メモリ１２０やＨＤＤ１１９にジョブ情報として格納される。
また、出力条件は、操作部１４０において設定することができる。画像情報を取得するような場合には、画像制御ＣＰＵ１１３によって操作部制御部１４２が制御され、ＬＣＤ１４１に出力設定入力が可能な画面が表示される。操作者によって適宜の操作入力がなされると、操作部制御部１４２から画像制御ＣＰＵ１１３に対し、操作部１４０上で設定された出力条件（プリントモード、トレイ、排紙先など）等の情報が通知される。該情報を受けた画像制御ＣＰＵ１１３では、出力条件情報を作成し、一旦は画像制御ＣＰＵ１１３に備えるメモリに格納する。画像情報を取得すると、画像情報とともにジョブ情報として画像メモリ１２０やＨＤＤ１１９に格納される。通常印刷、確認コピーの指定もこの手順で行われる。
【００３４】
また、外部から画像情報を取得して、画像形成装置１をプリンタ等として使用する場合、設定は、外部機器２のプリンタドライバによって行うことができる。したがって、この場合、出力条件の設定を行う操作部は、外部機器２に備えられており、操作部の制御は外部機器２に備える外部機器制御部（図示しない）により行われる。外部機器２で設定された出力条件情報は、画像情報とともにジョブ情報として画像形成装置１に送られる。すなわち、ジョブ情報は、図２に従えば、外部機器２からＬＡＮ５０、ＬＡＮインターフェース１７５を介して、画像メモリ１７２に格納され、ＤＲＡＭ制御ＩＣ１７１、ＤＲＡＭ制御ＩＣ１１１によってページメモリ１２２に格納される。
【００３５】
出力条件情報と画像情報とは関連付けられ、ジョブリストとして画像制御ＣＰＵ１１３に含まれるＲＡＭに格納される。図３は、該ジョブ情報のＲＡＭ上の概要（イメージ）を示すものであり、印刷条件と圧縮メモリ１２１における画像情報のメモリアドレスとが格納されている。なお、圧縮メモリ１２１に格納されるジョブ情報は、印刷条件を含むヘッダと画像情報により構成されている。
図４は、圧縮メモリ１２１上におけるジョブ情報のイメージを示すものであり、出力は画像制御ＣＰＵ１１３によって該ジョブ情報に基づいて行われる。
【００３６】
図５は、操作部１４０においてコピー出力中に表示されるコピー出力画面１４００を示すものであり、ジョブの実行状況や設定された出力条件、予約ジョブの入力ポップアップ画面などが表示される。本発明では、ジョブ出力中に、この画面上に出力条件の変更を指示する設定変更釦を操作入力可能に表示する。
図５の例では、設定変更に伴って出力を中断する設定変更（プリント中断）釦１４０１と、設定変更に伴って出力を中断することなく継続する設定変更（プリント継続）釦１４０２とが押釦可能に表示されている。なお、予め機械設定として設定変更が指示された際にプリントを中断するか継続するかを設定しておき、設定変更の指示がなされると機械設定に従ってプリント中断または継続が決定されるようにしてもよい。また、該機械設定は、機械設定画面などにおいて設定を変更できるようにしてもよい。
【００３７】
設定変更（プリント中断）釦１４０１が押釦されると、プリントを中断し、さらに出力条件の設定変更を行う手順が実行される。一方、設定変更（プリント継続）釦１４０２が押釦されると、出力は継続されたままで、さらに出力条件の設定変更を行う手順が実行される。
上記いずれかの押釦によって出力条件の設定変更が指示されると、図６に示すように、設定変更を行うページを指定するページ入力画面１４１０が、操作部１４０に操作入力可能に表示される。該画面は、上記したコピー出力画面１４００に重ねて表示するものであってもよく、また、画面を書き換えて新たに表示するものであってもよい。
【００３８】
ページ入力画面１４１０では、ページを入力するためのテンキー１４１１が操作入力可能に表示されており、このテンキーを用いてページを指定し、ＯＫ釦１４１２を押釦することで出力条件の設定変更を行うページが決定される。なお、キャンセル釦１４１３を押釦すれば、入力されたページ情報がキャンセルされ、ページを再入力することができる。
【００３９】
上記ＯＫ釦１４１２が押釦されると、図７に示す出力設定変更画面１４２０が操作部１４０に操作入力可能に表示される。出力設定変更画面１４２０では、選択されたページの出力条件の設定内容が表示される。該画面では、画質設定、倍率設定、排紙トレイ、後処理条件、とじしろなどの項目の設定内容が表示されている。該画面で設定変更する項目を選択すると、該項目に応じた設定変更画面が操作入力可能に表示される。また、閉じる釦１４２６を押釦すると、後述するポップアップ画面（出力設定変更確認画面１４４０）が表示される。
【００４０】
図８は、図７の出力設定変更画面１４２０において、とじしろ釦１４２５を押釦した際に操作部１４０に表示される詳細出力設定画面１４３０を示すものである。
該詳細出力設定画面１４３０でとじしろに関する設定を行うことができ、とじしろ幅を調整するためのテンキー１４３１が押釦可能に表示されている。このテンキー１４３１を用いてとじしろ幅を設定し、ＯＫ釦１４３２を押釦することでとじしろ幅が決定される。なお、キャンセル釦１４３３を押釦すれば、入力されたとじしろ幅が取り消され、該とじしろ幅を再入力することができる。
【００４１】
詳細出力設定画面１４３０でＯＫ釦１４３２が押釦されると、図９に示すように、コピー出力画面１４００上に出力設定変更確認画面１４４０がポップアップ表示される。該出力設定変更確認画面１４４０には、ＯＫ釦１４４１とキャンセル釦１４４２とが操作入力可能に表示される。ＯＫ釦１４４１が押釦されると、出力設定変更がされた内容が反映される。キャンセル釦１４４２を押釦すれば、入力された出力設定変更の内容が取り消され、出力設定変更を再度入力することができる。
ＯＫ釦が押釦されると、予め定めた出力手順で出力設定変更が反映された出力がなされる。
【００４２】
図１０（ａ）は、１部５頁、１０部設定のジョブに対し、プリント中に３部目で４頁目のシフト幅を０から１０ｍｍに変更した場合のイメージを示す図である。以下で、出力設定変更以降の出力方法を説明する。
【００４３】
図１０（ｂ）は、上記出力設定変更において、出力設定変更以降である３〜１０部目では、４頁目をスキップして残りのページを出力し、その後、出力設定変更された４ページを設定部数（１０部）分まとめて出力する。この場合、変更された４ページ分は、４頁目をスキップした３〜１０部目を印刷した後、最後に設定部数分（ここでは１０部）をまとめて出力するのが望ましい。また、変更された４ページ分は、出力された本文（設定変更前の１、２部目と設定変更後の４ページをスキップした３〜１０部目）とは異なる排紙トレイに排紙するのが望ましい。例えば、本文をメイントレイに排紙した場合、変更された４ページ分は、サブトレイに排紙する。
【００４４】
図１０（ｃ）は、上記設定変更において、設定変更以降である３〜１０部目では、４ページ目を設定変更をしたものに差し替えて残りの部数分を出力し、設定変更前の部数、すなわち１、２部目用に、変更された４ページを２部分まとめて出力する。この場合、変更された４ページ分は、３〜１０部目を印刷した後、最後にまとめて出力するのが望ましい。また、変更された４ページ分は、出力された本文（設定変更前の１、２部目と設定変更後の３〜１０部目）とは異なる排紙トレイに排紙するのが望ましい。例えば、本文をメイントレイに排紙した場合、変更された４ページ分は、サブトレイに排紙する。
【００４５】
なお、上記では、設定変更後の出力手順が機械設定によって決定されているものとして説明したが、設定変更の際に、出力手順を設定できるようにしてもよい。また、機械設定をデフォルト値として、これに対し変更操作をして出力手順を設定できるようにしてもよい。
【００４６】
次に、制御部による上記設定変更の手順を図１１のフローチャートを参照しつつ説明する。
設定変更釦の押釦によって手順が開始される。設定変更に際し、プリント中断で行うか否かが判定され（ステップｓ１）、プリント中断であれば（ステップｓ１、ＹＥＳ）、プリント中断フラグをＯＮにし（ステップｓ２）、プリント中断でなければ（ステップｓ１、ＮＯ）、プリント中断フラグの変更はなされず、それぞれステップｓ３に移行する。ステップｓ３では、設定変更があるか否かが判定され、設定変更があれば（ステップｓ３、ＹＥＳ）、変更データを一時データとして制御部のＲＡＭなどに格納し（ステップｓ４）、ステップｓ５に移行する。設定変更がなければ（ステップｓ３、ＮＯ）、そのままステップｓ５に移行する。
【００４７】
ステップｓ５では、設定確認画面１４４０でＯＫ釦１４４１が押釦されて、設定変更が終了したか否かの判定がなされる。設定変更が終了していなければ（ステップｓ５、ＮＯ）、ステップｓ３に戻って、設定変更の有無が確認される。設定変更が終了していれば（ステップｓ５、ＹＥＳ）、プリント中断フラグがＯＮか否かを判定し（ステップｓ６）、プリント中断フラグがＯＮでなければ（ステップｓ６、ＮＯ）、手順を終了する。プリント中断フラグがＯＮであれば（ステップｓ６、ＹＥＳ）、プリント中断フラグをＯＦＦにして（ステップｓ７）、プリントを再開する（ステップｓ８）。
【００４８】
次に、ジョブ出力中に設定変更がされ、設定変更以降、変更されたページをスキップし、最後に、変更されたページを設定部数分まとめて出力する手順を図１２のフローチャートを参照しつつ説明する。
先ず、ジョブ出力に際し、プリントページ（Ｐ）、プリント部数（Ｂ）、スキップ部数（ＳＢ）を初期化する（ステップｓａ１）。次いで、プリント中断フラグがＯＮであるか否かの判定をする（ステップｓａ２）。プリント中断フラグがＯＮであると（ステップｓａ２、ＹＥＳ）、プリントを中断する（ステップｓａ３）。設定変更が終了するなどしてプリントが再開されると（ステップｓａ４）、ステップｓａ５に移行する。プリント中断フラグがＯＮでない場合、そのままステップｓａ５に移行する。
ステップｓａ５では、設定変更一時データが保存されているか否かが判定される。一時データが保存されていれば（ステップｓａ５、ＹＥＳ）、図１３に示す手順Ａに移行する。一時データが保存されていなければ、ステップｓａ６に移行する。
【００４９】
手順Ａでは、図１３に示すようにチェック用のチェックページ（Ｃｈ）を初期化し（ステップｓｂ１）、チェックページに設定変更があるか否かの判定を行う（ステップｓｂ２）。設定変更がなければ（ステップｓｂ２、ＮＯ）、後述するチェックページ（Ｃｈ）をインクリメントするステップｓｂ５に移行する。設定変更があれば（ステップｓｂ２、ＹＥＳ）、一時データの内容を反映して該当するチェックページの設定データを更新する（ステップｓｂ３）。次いで、該当するチェックページ（Ｃｈ）に設定変更有りのフラグをセットする（ステップｓｂ４）。その後、チェックページ（Ｃｈ）をインクリメントする（ステップｓｂ５）。次いで、チェックページ（Ｃｈ）が最終ページか否かの判定を行う（ステップｓｂ６）。チェックページ（Ｃｈ）が最終ページでなければ（ステップｓｂ６、ＮＯ）、ステップｓｂ２に戻ってインクリメントされたチェックページ（Ｃｈ）で設定変更があるか否かの判定が繰り返される。
チェックページ（Ｃｈ）が最終ページであると（ステップｓｂ６、ＹＥＳ）、設定変更一時データをクリアし（ステップｓｂ７）、図１２の手順Ｂに戻る。
【００５０】
手順Ｂでは、図１２に示すようにステップｓａ６に移行し、プリントページ（Ｐ＋１）の設定情報を取得する。前記設定変更有りのフラグのオンオフによって該当ページで出力設定の変更があるか否かの判定がなされる（ステップｓａ７）。出力設定の変更があれば（ステップｓａ７、ＹＥＳ）、スキップフラグをＯＮにする（ステップｓａ８）。次いで、プリントページＰをインクリメントし（ステップｓａ１０）、出力設定の変更がなければ（ステップｓａ７、ＮＯ）、該当ページのプリント処理をし（ステップｓａ９）、その後、プリントページＰをインクリメントする（ステップｓａ１０）。ステップｓａ１０の後、Ｐが部の最後のページか否かの判定がなされる（ステップｓａ１１）。最後のページでなければ（ステップｓａ１１、ＮＯ）、ステップｓａ２に戻り、次ページについて設定変更があるか否かの判定手順が繰り返される。最後のページであれば（ステップｓａ１１、ＹＥＳ）、プリントページＰをリセット（Ｐ＝０）し（ステップｓａ１２）、プリント部数Ｂをインクリメントする（ステップｓａ１３）。この際に、スキップフラグがＯＮであれば、スキップ部数ＳＢもインクリメントする。次いで、Ｂが設定部数になって設定部数分のプリントが終了したか否かの判定がなされる（ステップｓａ１４）。設定部数分のプリントが終了していなければ（ステップｓａ１４、ＮＯ）、ステップｓａ２に戻り、次ページについて設定変更があるか否かの判定手順が繰り返される。設定部数分のプリントが終了していれば（ステップｓａ１４、ＹＥＳ）、スキップフラグがＯＮになっているか否かの判定がなされる（ステップｓａ１５）。スキップフラグがＯＮになっていなければ（ステップｓａ１５、ＮＯ）、処理を終了し、スキップフラグがＯＮになっていれば（ステップｓａ１５、ＹＥＳ）、図１４に示す手順１に移行する。
【００５１】
手順１では、図１４に示すように出力設定変更がされた設定変更以降のページをまとめて出力する処理がなされる。
先ず、再プリントページＲＰ、再プリント部数ＲＢが初期化される（ステップｓｃ１）。次いで設定変更有りのフラグのオンオフから該当ページ（ＲＰ＋１）で設定変更があるか否かの判定がなされる（ステップｓｃ２）。設定変更があれば（ステップｓｃ２、ＹＥＳ）、該当ページ（ＲＰ＋１）のプリント処理をし（ステップｓｃ３）、再プリントページＲＰをインクリメントする（ステップｓｃ４）。設定変更がなければ（ステップｓｃ２、ＮＯ）、該当ページ（ＲＰ＋１）のプリント処理は行わず、再プリントページＲＰをインクリメントする（ステップｓｃ４）。ステップｓｃ４の後、ＲＰが部の最後のページか否かの判定がなされる（ステップｓｃ５）。最後のページでなければ（ステップｓｃ５、ＮＯ）、ステップｓｃ２に戻り、次ページについて設定変更があるか否かの判定手順が繰り返される。最後のページであれば（ステップｓｃ５、ＹＥＳ）、再プリントページＲＰをリセット（ＲＰ＝０）し（ステップｓｃ６）、再プリント部数ＲＢをインクリメントする（ステップｓｃ７）。次いで、ＲＢが設定部数になって設定部数分のプリントが終了したか否かの判定がなされる（ステップｓｃ８）。設定部数分のプリントが終了していなければ（ステップｓｃ８、ＮＯ）、ステップｓｃ２に戻り、次ページについて設定変更があるか否かの判定手順が繰り返される。設定部数分のプリントが終了していれば、処理を終了し、図１２に示す手順２に戻って処理を終了する。
【００５２】
次に、ジョブ出力中に設定変更がされ、設定変更以降、変更されたページに差し替えて出力し、最後に、設定変更以前の部数分の変更ページをまとめて出力する手順を図１５のフローチャートを参照しつつ説明する。
先ず、ジョブ出力に際し、プリントページ（Ｐ）、プリント部数（Ｂ）を初期化する（ステップｓｄ１）。次いで、プリント中断フラグがＯＮであるか否かの判定をする（ステップｓｄ２）。プリント中断フラグがＯＮであると（ステップｓｄ２、ＹＥＳ）、プリントを中断する（ステップｓｄ３）。設定変更が終了するなどしてプリントが再開されると（ステップｓｄ４）、ステップｓｄ５に移行する。プリント中断フラッグがＯＮでない場合（ステップｓｄ２、ＮＯ）、そのままステップｓｄ５に移行する。ステップｓｄ５では、設定変更一時データが保存されているか否かが判定される。一時データが保存されていれば（ステップｓｄ５、ＹＥＳ）、図１３に示す手順Ａに移行する。一時データが保存されていなければ、ステップｓｄ６に移行する。
【００５３】
手順Ａでは、既に説明したように、チェック用のチェックページ（Ｃｈ）を初期化し（ステップｓｂ１）、チェックページ（Ｃｈ）に設定変更があるか否かの判定を行う（ステップｓｂ２）。設定変更がなければ（ステップｓｂ２、ＮＯ）、後述するチェックページ（Ｃｈ）をインクリメントするステップｓｂ５に移行する。設定変更があれば（ステップｓｂ２、ＹＥＳ）、一時データの内容を反映して該当するチェックページ（Ｃｈ）の設定データを更新する（ステップｓｂ３）。次いで、該当するチェックページ（Ｃｈ）に設定変更有りのフラグをセットする（ステップｓｂ４）。その後、チェックページ（Ｃｈ）をインクリメントする（ステップｓｂ５）。次いで、チェックページ（Ｃｈ）が最終ページか否かの判定を行う（ステップｓｂ６）。チェックページ（Ｃｈ）が最終ページでなければ（ステップｓｂ６、ＮＯ）、ステップｓｂ２に戻ってインクリメントされたチェックページ（Ｃｈ）で設定変更があるか否かの判定が繰り返される。
チェックページ（Ｃｈ）が最終ページであると（ステップｓｂ６、ＹＥＳ）、設定変更一時データをクリアし（ステップｓｂ７）、図１５の手順Ｂに戻る。
【００５４】
手順Ｂの移行では、ステップｓｄ６に移行し、プリントページ（Ｐ＋１）の設定情報を取得する。前記設定変更有りのフラグのオンオフから該当ページ（Ｐ＋１）で設定変更があるか否かの判定がなされる（ステップｓｄ７）。設定変更があれば（ステップｓｄ７、ＹＥＳ）、変更未出力フラグがＯＮであるか否かを判定し（ステップｓｄ８）、変更未出力フラグがＯＮでなければ（ステップｓｄ８、ＮＯ）、変更未出力フラグをＯＮにする（ステップｓｄ９）。さらに、未出力部数ＭＢにＢ、未出力の最終ページＭＰにＰをセットし（ステップｓｄ１０）、該当ページ（Ｐ＋１）のプリント処理をし（ステップｓｄ１１）、プリントページＰをインクリメントする（ステップｓｄ１２）。
ステップｓｄ７で設定変更がなければ（ステップｓｄ７、ＮＯ）、該当ページ（Ｐ＋１）のプリント処理をし（ステップｓｄ１１）、プリントページＰをインクリメントする（ステップｓｄ１２）。また、ステップｓｄ８で変更未出力フラグがＯＮであれば（ステップｓｄ８、ＹＥＳ）、該当ページ（Ｐ＋１）のプリント処理をし（ステップｓｄ１１）、プリントページＰをインクリメントする（ステップｓｄ１２）。
【００５５】
ステップｓｄ１２の後、Ｐが部の最後のページか否かの判定がなされる（ステップｓｄ１３）。最後のページでなければ（ステップｓｄ１３、ＮＯ）、ステップｓｄ２に戻り、次ページについて設定変更があるか否かの判定手順が繰り返される。最後のページであれば（ステップｓｄ１３、ＹＥＳ）、プリントページＰをリセット（Ｐ＝０）し（ステップｓｄ１４）、プリント部数Ｂをインクリメントする（ステップｓｄ１５）。次いで、Ｂが設定部数になって設定部数分のプリントが終了したか否かの判定がなされる（ステップｓｄ１６）。設定部数分のプリントが終了していなければ（ステップｓｄ１６、ＮＯ）、ステップｓｄ２に戻り、次ページについて設定変更があるか否かの判定手順が繰り返される。設定部数分のプリントが終了していれば（ステップｓｄ１６、ＹＥＳ）、変更未出力フラグがＯＮになっているか否かの判定がなされる（ステップｓｄ１７）。変更未出力フラグがＯＮになっていなければ（ステップｓｄ１７、ＮＯ）、処理を終了し、変更未出力フラグがＯＮになっていれば（ステップｓｄ１７、ＹＥＳ）、図１６に示す手順３に移行する。
【００５６】
手順３では、設定変更以前の変更ページをまとめて出力する処理がなされる。
先ず、再プリントページＲＰ、再プリント部数ＲＢが初期化される（ステップｓｅ１）。
次いで設定変更有りのフラグのオンオフから該当ページ（ＲＰ＋１）で設定変更があるか否かの判定がなされる（ステップｓｅ２）。設定変更があれば（ステップｓｅ２、ＹＥＳ）、該当ページ（ＲＰ＋１）のプリント処理をし（ステップｓｅ３）、再プリントページＲＰをインクリメントする（ステップｓｅ４）。設定変更がなければ（ステップｓｅ２、ＮＯ）、該当ページ（ＲＰ＋１）のプリント処理は行わず、再プリントページＲＰをインクリメントする（ステップｓｅ４）。ステップｓｅ４の後、プリント済み部数分の変更ページがプリントされたか否かの判定がなされる（ステップｓｅ５）。プリント済み部数分の変更ページがプリントされていれば（ステップｓｅ５、ＹＥＳ）、処理を終了し、図１５の手順４に戻る。
【００５７】
一方、プリント済み部数分の変更ページがプリントされていなければ（ステップｓｅ５、ＮＯ）、次に、ＲＰが部の最後のページか否かの判定がなされる（ステップｓｅ６）。最後のページでなければ（ステップｓｅ６、ＮＯ）、ステップｓｅ２に戻り、次ページについて設定変更があるか否かの判定手順が繰り返される。最後のページであれば（ステップｓｅ６、ＹＥＳ）、再プリントページＲＰをリセット（ＲＰ＝０）し（ステップｓｅ７）、再プリント部数ＲＢをインクリメントする（ステップｓｅ８）。次いで、ステップｓｅ２に戻り、次ページについて設定変更があるか否かの判定手順が繰り返される。
上記により設定変更以前の変更ページがまとめて出力される。
【００５８】
以上、本発明について、上記実施形態に基づいて説明を行ったが、本発明は上記説明の内容に限定されるものではなく、本発明の範囲内において適宜の変更が可能である。
【符号の説明】
【００５９】
１    画像形成装置
２    外部機器
１１３    画像制御ＣＰＵ
１１４    不揮発メモリ
１４０    操作部
１４１    ＬＣＤ
１４００  コピー出力画面
１４０１  設定変更（プリント中断）釦
１４０２  設定変更（プリント継続）釦
１４１０  ページ入力画面
１４２０  出力設定変更画面
１４３０  詳細出力設定画面
１４４０  出力設定変更確認画面
【図１】
2011140204.tif 000003
【図２】
2011140204.tif 000004
【図３】
2011140204.tif 000005
【図４】
2011140204.tif 000006
【図５】
2011140204.tif 000007
【図６】
2011140204.tif 000008
【図７】
2011140204.tif 000009
【図８】
2011140204.tif 000010
【図９】
2011140204.tif 000011
【図１０】
2011140204.tif 000012
【図１１】
2011140204.tif 000013
【図１２】
2011140204.tif 000014
【図１３】
2011140204.tif 000015
【図１４】
2011140204.tif 000016
【図１５】
2011140204.tif 000017
【図１６】
2011140204.tif 000018